【手続補正書】
【提出日】平成18年12月5日(2006.12.5)
【手続補正１】
【補正対象書類名】特許請求の範囲
【補正対象項目名】全文
【補正方法】変更
【補正の内容】
【特許請求の範囲】
【請求項１】
複数のネットワークリンク、複数のインターネットプロトコルおよび複数のトランスポートプロトコルのうち、少なくとも１つを用いて通信網を介したメッセージの通信処理を行うための構成を備え、当該構成を変更可能な通信サブシステムと、
前記メッセージの履歴の記録処理、障害の検出処理、前記通信網を介した前記障害の外部装置への通知処理および前記障害からの回復処理のうち、少なくとも１の処理を行うための構成を備え、当該構成を変更可能な信頼性サブシステムと、
１以上の入力変数に基づき、前記通信サブシステムおよび前記信頼性サブシステムのうち、少なくとも１のシステムの構成を変更する制御モジュールと
を備えることを特徴とするメッセージ通信システム。
【請求項２】
制御モジュール、通信サブシステムおよび信頼性サブシステムを有するメッセージ通信システムにおいて、
前記制御モジュールが、１以上の入力変数に基づき、前記信頼性サブシステムに含まれる、メッセージの履歴の記録処理を行う構成要素、障害の検出処理を行う構成要素、通信網を介した前記障害の外部装置への通知処理を行う構成要素および前記障害からの回復処理を行う構成要素の組み合わせのうち、前記メッセージ通信システムにおいて使用する構成要素の組み合わせを選択する選択処理と、
前記制御モジュールが、前記選択処理において選択された構成要素の組み合わせを含む実行用プログラムを生成する生成処理と、
前記制御モジュールが、前記実行用プログラムに含まれる構成要素の設定を行う設定処理と
を備えることを特徴とするメッセージ通信システムの設定変更方法。
【請求項３】
前記生成処理において前記制御モジュールは、前記通信サブシステムに含まれる、複数のネットワークリンク、複数のインターネットプロトコルおよび複数のトランスポートプロトコルのうち、少なくとも１つを用いて前記通信網を介したメッセージの通信処理を行うための構成要素と、前記選択処理において選択された構成要素の組み合わせとを含む実行用プログラムを生成することを特徴とする請求項２に記載のメッセージ通信システムの設定変更方法。
【請求項４】
前記制御モジュールが、１以上の入力変数に基づき、前記実行用プログラムに含まれる構成要素の間のメッセージの通信経路を決定する決定処理をさらに備えることを特徴とする請求項３に記載のメッセージ通信システムの設定変更方法。
【請求項５】
通信網を介して通信されるメッセージの履歴の記録をコンピュータに行わせるプログラムである履歴管理モジュールと、前記通信網を介したメッセージの通信に関する障害の検出をコンピュータに行わせるプログラムである障害検出モジュールと、前記前記通信網を介したメッセージの通信に関する障害の発生をコンピュータに外部装置へ通知させるプログラムである通知管理モジュールと、前記通信網を介したメッセージの通信に関する障害からの回復処理をコンピュータに行わせるプログラムである回復管理モジュールとを含む信頼性サブシステムを備えるコンピュータに、
外部から入力される１以上の入力変数に基づき、前記信頼性サブシステムに含まれる前記履歴管理モジュール、前記障害検出モジュール、前記通知管理モジュールおよび前記回復管理モジュールの組み合わせのうち、少なくとも１のモジュールを選択する第１の選択処理と、
前記第１の選択処理において選択されたモジュールを含む実行用プログラムであるインスタンスを生成する生成処理と
を実行させることを特徴とするプログラム。
【請求項６】
前記コンピュータは、データリンク層における接続制御をコンピュータに実行させるプログラムであるデータリンク層モジュールと、ネットワーク層における接続制御をコンピュータに実行させるプログラムであるネットワーク層モジュールと、トランスポート層のおける接続制御をコンピュータに実行させるプログラムであるトランスポート層モジュールとを含む通信サブシステムをさらに備え、
外部から入力される１以上の入力変数に基づき、前記通信サブシステムに含まれる前記データリンク層モジュール、前記ネットワーク層モジュールおよび前記トランスポート層モジュールの組み合わせのうち、少なくとも１のモジュールを選択する第２の選択処理をさらに備え、
前記生成処理では、前記第１および第２の選択処理において選択されたモジュールを含む実行用プログラムであるインスタンスを生成することを特徴とする請求項５に記載のプログラム。
【請求項７】
複数のネットワークリンク、複数のインターネットプロトコルおよび複数のトランスポートプロトコルのうち、少なくとも１つを用いて通信網を介したメッセージの通信処理を行うための構成を備え、当該構成を変更可能な通信サブシステムと、
前記メッセージの履歴の記録処理、障害の検出処理、前記通信網を介した前記障害の外部装置への通知処理および前記障害からの回復処理を行うための構成を備え、当該構成を変更可能な信頼性サブシステムと、
１以上の入力変数に基づき、前記通信サブシステムおよび前記信頼性サブシステムのうち、少なくとも１のシステムの構成を変更する制御モジュールと
を備えることを特徴とするメッセージ通信システム。
【手続補正２】
【補正対象書類名】明細書
【補正対象項目名】０００９
【補正方法】変更
【補正の内容】
【０００９】
上述した課題を実現するため、本発明は、複数のネットワークリンク、複数のインターネットプロトコルおよび複数のトランスポートプロトコルのうち、少なくとも１つを用いて通信網を介したメッセージの通信処理を行うための構成を備え、当該構成を変更可能な通信サブシステムと、前記メッセージの履歴の記録処理、障害の検出処理、前記通信網を介した前記障害の外部装置への通知処理および前記障害からの回復処理のうち、少なくとも１の処理を行うための構成を備え、当該構成を変更可能な信頼性サブシステムと、１以上の入力変数に基づき、前記通信サブシステムおよび前記信頼性サブシステムのうち、少なくとも１のシステムの構成を変更する制御モジュールとを備えることを特徴とするメッセージ通信システムを提供する。
【手続補正３】
【補正対象書類名】明細書
【補正対象項目名】００１０
【補正方法】変更
【補正の内容】
【００１０】
また、本発明は、制御モジュール、通信サブシステムおよび信頼性サブシステムを有するメッセージ通信システムにおいて、前記制御モジュールが、１以上の入力変数に基づき、前記信頼性サブシステムに含まれる、メッセージの履歴の記録処理を行う構成要素、障害の検出処理を行う構成要素、通信網を介した前記障害の外部装置への通知処理を行う構成要素および前記障害からの回復処理を行う構成要素の組み合わせのうち、前記メッセージ通信システムにおいて使用する構成要素の組み合わせを選択する選択処理と、前記制御モジュールが、前記選択処理において選択された構成要素の組み合わせを含む実行用プログラムを生成する生成処理と、前記制御モジュールが、前記実行用プログラムに含まれる構成要素の設定を行う設定処理とを備えることを特徴とするメッセージ通信システムの設定変更方法を提供する。
【手続補正４】
【補正対象書類名】明細書
【補正対象項目名】００１１
【補正方法】変更
【補正の内容】
【００１１】
さらに、本発明は、通信網を介して通信されるメッセージの履歴の記録をコンピュータに行わせるプログラムである履歴管理モジュールと、前記通信網を介したメッセージの通信に関する障害の検出をコンピュータに行わせるプログラムである障害検出モジュールと、前記前記通信網を介したメッセージの通信に関する障害の発生をコンピュータに外部装置へ通知させるプログラムである通知管理モジュールと、前記通信網を介したメッセージの通信に関する障害からの回復処理をコンピュータに行わせるプログラムである回復管理モジュールとを含む信頼性サブシステムを備えるコンピュータに、外部から入力される１以上の入力変数に基づき、前記信頼性サブシステムに含まれる前記履歴管理モジュール、前記障害検出モジュール、前記通知管理モジュールおよび前記回復管理モジュールの組み合わせのうち、少なくとも１のモジュールを選択する第１の選択処理と、前記第１の選択処理において選択されたモジュールを含む実行用プログラムであるインスタンスを生成する生成処理とを実行させることを特徴とするプログラムを提供する。